【事件の表示】
特許第２６６７６４３号「冷蔵庫用野菜収納容器及び冷蔵庫」の請求項１ないし１５に係る特許に対する特許異議の申立てについて、次のとおり決定する。
【結論】
特許第２６６７６４３号の請求項１ないし３、５ないし８、１１ないし１４に係る特許を取り消す。
　同請求項４、９ないし１０、１５に係る特許を維持する。
【理由】
（１）手続きの経緯
　本件特許第２６６７６４３号発明は、平成６年１２月１６日に出願されたもので、平成９年６月２７日に設定登録がなされ、その後、特許異議の申立てがなされ、取消理由が通知されたものである。
（２）本件特許の各請求項に係る発明
【請求項１】
　冷蔵庫内に配置された野菜を収納するための野菜収納トレーと、
前記野菜収納トレー内に設けられた仕切板と、
前記仕切板と前記野菜収納トレーの内面とにより、前記野菜収納トレー内に、取り外し可能に保持された野菜収納容器を備え、
前記野菜収納容器は略直方体の形状であってその横幅より高さ方向の長さが長い縦長形状であり、前記野菜収納容器の上面に野菜を出し入れする投入口を有し、前記野菜収納容器の下方部に通気穴を有し、
前記野菜収納トレーに保持された前記野菜収納容器の上面縁部は、前記野菜収納トレーの上面縁部より所定長だけ低い位置に配置される、
ことを特徴とする冷蔵庫。
【請求項２】
　冷蔵庫内に配置された野菜を収納するための野菜収納トレーと、
前記野菜収納トレー内に設けられた仕切板と、
前記仕切板の上から填め込み可能な取付部を有して前記取付部により、前記野菜収納トレー内に、取り外し可能に保持された野菜収納容器を備え、前記野菜収納容器は略直方体の形状であってその横幅より高さ方向の長さが長い縦長形状であり．前記野菜収納容器の上面に野菜を出し入れする投入口を有し、前記野菜収納容器の下方部に通気穴を有し、
前記野菜収納トレーに保持された前記野菜収納容器の上面縁部は、前記野菜収納トレーの上面縁部より所定長だけ低い位置に配置される、
ことを特徴とする冷蔵庫。
【請求項３】
　請求項１または２に記載された冷蔵庫において、
前記野菜収納容器は透明な樹脂で構成し、
前記野菜収納容器の上部周辺に、その下の部分より外方向に張り出す肉厚の補強部を設け、
前記野菜収納容器の各側面が隣接する側面と接続される接続部は、それぞれ曲面形状となっており、前記野菜収納容器の上部水平断面がその下部水平断面より大きい、
ことを特徴とする冷蔵庫。
【請求項４】
　請求項１または２に記載された冷蔵庫において、
前記通気穴は、前記野菜収納容器の側面から底面にかけて形成されたスリットであることを特徴とする冷蔵庫。
【請求項５】
　請求項１または２に記載された冷蔵庫において、
前記野菜収納容器の横幅を７０ｍｍから１２５ｍｍの範囲に設定し、高さ方向の長さを１７０ｍｍより短くすることを特徴とする冷蔵庫。
【請求項６】
　請求項１または２に記載された冷蔵庫において、
前記野菜収納容器は、その底部に下方に張り出す脚部を設けることを特徴とする冷蔵庫。
【請求項７】
　請求項１または２に記載された冷蔵庫において、
前記野菜収納容器は、上部を斜めにした前記投入口を形成することを特徴とする冷蔵庫。
【請求項８】
　請求項１または２に記載された冷蔵庫において、
前記野菜収納容器は、その上部を凹曲線形状とした前記投入口を形成することを特徴とする冷蔵庫。
【請求項９】
　請求項１または２に記載された冷蔵庫において、
前記野菜収納容器は、その全体高さを可変できる高さ変更可動部を設けていることを特徴とする冷蔵庫
【請求項１０】
　請求項１に記載された冷蔵庫において、
前記野菜収納容器は第１の幅と第２の幅の横幅を有し、
前記仕切板は、前記野菜収納トレーの内面から、前記第１の幅と第２の幅との対応する第１の距離と第２の距離とに設置できるようにすることを特徴とする冷蔵庫。
【請求項１１】
　冷蔵庫内に設けられた野菜を収納するための野菜収納トレーを仕切る仕切仮の上から填め込むための取付部を有し、
上面に野菜を出し入れする投入口を有する略直方体の形状を成し、
下方部に通気穴を有し、
前記略直方体の横幅より高さ方向の長さを長くし、
前記野菜収納トレーの高さ方向の長さより所定長だけ低い高さを有する、
ことを特徴とする冷蔵庫用野菜収納容器。
【請求項１２】
　請求項１１に記載された冷蔵庫用野菜収納容器において、
前記野菜収納容器は、透明な樹脂で構成され、その上部周辺にその下の部分より僅かに張り出した補強部を設け、その底部に下方に張り出す脚部を設けるとともに、
前記野菜収納容器の横幅を７０ｍｍから１２５ｍｍの範囲に設定し、高さ方向の長さを１７０ｍｍより短くし、
前記野菜収納容器の上部水平断面をその下部水平断面より大きくし、
前記野菜収納容器の各側面が隣接する側面と接続される接続部はそれぞれ曲面形状となっている、ことを特徴とする冷蔵庫用野菜収納容器。
【請求項１３】
　請求項１１に記載された冷蔵庫用野菜収納容器において、
前記野菜収納容器は、その上部を斜めにした前記投入口を形成することを特徴とする冷蔵庫用野菜収納容器。
【請求項１４】
　請求項１１に記載された冷蔵庫用野菜収納容器において、
前記野菜収納容器は、その上部を凹曲線形状とした前記投入口を形成することを特徴とする冷蔵庫用野菜収納容器。
【請求項１５】
　請求項１１に記載された冷蔵庫用野菜収納容器において、
前記冷蔵庫用野菜収納容器は、その全体高さを可変できる高さ変更可動部を設けていることを特徴とする冷蔵庫用野菜収納容器。
（３）当審が通知した取消理由に引用した本件出願前に頒布された刊行物と、その刊行物に記載された事項
刊行物１　「エッセ」　１９９４年８月号　株式会社フジテレビジョン発行　３４頁、４３頁
　冷蔵庫の野菜室、ペットボトルや牛乳パックを高さ１５ｃｍにカットして野菜を立てて入れておく点、カットしたペットボトルや牛乳パックの高さは野菜室の上縁より低い点、冷蔵庫の野菜室にカットしたペットボトルや牛乳パックを立てて置く点、冷蔵庫の野菜室に仕切壁がある点、上部周縁が肉厚であり下方に穴のあいた野菜かご容器
刊行物２　「オレンジベージ」１９９４年６月１７日号（株）オレンジページ発行　２２〜２５頁
約４００１型標準サイズの冷蔵庫の野菜室が幅４９ｃｍ、深さ２９ｃｍ、奥行き４１ｃｍであること、野菜室に入れる収納容器として、下方に穴のあいたブックケースを用いる点、野菜を立ててブックケースに収納する点、プランターに野菜を収納する点、プランターは上部に外方に張り出す補強部があり、上部水平断面が下部水平断面より大きい点、ペットボトルや牛乳パックに野菜を立てて収納する点、牛乳パックを１５ｃｍにカットして使う点、
刊行物３　「主婦の友」１９９４年８月号　株式会社主婦の友社発行　４０頁
　野菜を立てて冷蔵庫に保存する点、牛乳パックを斜めに切って収納容器とする点、牛乳パックは一辺が７ｃｍである点
刊行物４　実願昭６２−１９８６０６号（実開平１−１０２６７６号）のマイクロフィルム
　物品収納容器に取手部がついており、冷蔵庫の棚の上縁に取手部を引っ掛けて装着する点、収納容器の開口が斜めに凹曲面である点
刊行物５　特開昭６２−２７２０７７号公報
　野菜室の中にトレイがあり、このトレイに脚がついており、冷気が脚の間を流れる点
刊行物６　実願昭６１−１３５７２９号（実開昭６３−４３０９５号）のマイクロフィルム
　冷蔵庫用容器に仕切板があり、この仕切板の位置変えができる点、仕切壁と冷蔵庫用容器の内面とにより、収納容器が取り外し自在に保持される点
刊行物７　実願昭５３−１３２５２３号（実開昭５５−５０４０５号）のマイクロフィルム
　底部を側壁にして収容部の高さを変える点
刊行物８　実願昭５４−１３０７８０号（実開昭５６−４７４８６号）のマイクロフィルム
　冷蔵庫の収納容器の上部を凹曲線形状とした点仕切板が位置変えできる点　　　　　　　　　　　
刊行物９　特開昭６３−１８３３７０号公報
　野菜を立てて保存する容器の下部に孔を有し水分を流出させる点
（４）対比・判断
ア）請求項１に係る発明と刊行物１記載のものを対比すると、両者は、
「冷蔵庫内に配置された野菜を収納するための野菜収納トレーと、
前記野菜収納トレー内に設けられた仕切坂と、
前記仕切板と前記野菜収納トレーの内面とにより、前記野菜収納トレー内に、取り外し可能に保持された野菜収納容器を備え、
前記野菜収納容器は略直方体の形状であってその横幅より高さ方向の長さが長い縦長形状であり、前記野菜収納容器の上面に野菜を出し入れする投入口を有し、
前記野菜収納トレーに保持された前記野菜収納容器の上面縁部は、前記野菜収納トレーの上面縁部より低い位置に配置されることを特徴とする冷蔵庫」である点で共通のものであり、
ただ請求項１に係る発明が
（ｉ）「野菜収納容器の下方部に通気穴を有する」のに対し、刊行物１のカットしたペットボトルや牛乳パックには通気穴ない点で相違するものである。
　前記相違点（ｉ）を検討すると、刊行物１には、側面下方部に穴があいているかごに野菜を入れておくことも記載されており、刊行物２にも側面下方部に穴があいているブックケースを野菜収納容器に用いる点が記載され図示されているから、野菜収納容器の下方部を穴あきにすることは容易である。
　そして、請求項１に係る発明の効果は予測できることである。
　なお権利者は、刊行物１には、仕切板が記載されて無く、また牛乳パック等野菜収納容器の上面縁部が野菜室の上面縁部より低い点は記載されていない旨主張している。
　しかしながら、刊行物１には、「野菜室の手前のボトルスペースにカットした牛乳パック等を入れる」と記載されており、ボトルスペースは仕切壁で区切られているものと認められ、図面にも仕切壁が図示されている。仮に、そうでないとしても、野菜室等冷蔵庫の容器に仕切板をつけて区切ることは、例えば実開昭５８−１８３４９２号公報や刊行物６に記載されているように周知のことである。
　また刊行物１の図面には、牛乳パック等の上面縁部が野菜室の上面縁部より低い点が図示されており、かつ、刊行物２に記載されている野菜室の深さ２９ｃｍと高さ１５ｃｍのカットした牛乳パックとを参照すると、カットした牛乳パックが野菜室の上面縁部より低いと認められる。さらに、刊行物６には、小物ケースやトレーの上面縁部は冷蔵庫用ケースの上面縁部より下に位置する点が図示されている。このように収納トレーに収納容器を入れる場合は、入る収納容器のほうが丈が低いことは周知のことである。
　したがって、権利者のこの主張は理由がない。
イ）請求項２に係る発明または請求項１１に係る発明と刊行物１に記載されたものを対比すると、請求項２に係る発明または請求項１１に係る発明が
（ｉ）の点および
（ｉｉ）仕切板の上から填め込み可能な取付部を有して前記取付部により、前記野菜収納トレー内に、取り外し可能に保持された野菜収納容器を備えているのに対し、刊行物１にはこの点が記載されていない点で相違し、その余の点は共通である。
　前記相違点を検討すると、
（ｉ）前記したとおりである。
（ｉｉ）刊行物４には、冷蔵庫の中に入れる物品収納容器であって、取手部がついており、棚の上部に引掛けて装着する点が記載されており、この点を刊行物１記載の収納容器に適用することは容易である。
　そして、この発明の効果は相違点がそれぞれ持っている効果を単に寄せ集めたものであり、予測できるものである。
（ウ）請求項３に係る発明と刊行物１記載のものとを対比すると、刊行物１記載のペットボトルは、透明な樹脂で構成されたものであり、角に丸みがついているものも普通にあるものであるから各側面が隣接する側面と接続される接続部は曲面形状になっているものである。したがって両者は、「冷蔵庫内に配置された野菜を収納するための野菜収納トレーと、
前記野菜収納トレー内に設けられた仕切坂と、
前記仕切板と前記野菜収納トレーの内面とにより、前記野菜収納トレー内に、取り外し可能に保持された野菜収納容器を備え、
前記野菜収納容器は略直方体の形状であってその横幅より高さ方向の長さが長い縦長形状であり、前記野菜収納容器の上面に野菜を出し入れする投入口を有し、
前記野菜収納トレーに保持された前記野菜収納容器の上面縁部は、前記野菜収納トレーの上面縁部より所定長だけ低い位置に配置される、
冷蔵庫において、
前記野菜収納容器は透明な樹脂で構成し、
前記野菜収納容器の各側面が接続する側面と接続される接続部は、それぞれ曲面形状となっている」点で共通のものであり、ただ請求項３に係る発明は、
（ｉ）（ｉｉ）の点および
（ｉｉｉ）野菜収納容器の上部周辺に、その下部より外方向に張り出す肉厚の補強部を設けてあり、上部水平断面がその下部水平断面より大きいものであるのに対し、刊行物１にはこの点が記載されていない点で相違するものである。
　前記相違点を検討すると、
（ｉ）（ｉｉ）の点は前記したとおりである。
（ｉｉｉ）刊行物２には、野菜収納容器としてプランターが記載されており、プランターは、上部周辺に外方に張り出す補強部があり、上部水平断面がその下部水平断面より大きいものであるから、野菜収納容器をこのようにすることは容易であるし、補強部を肉厚にすることは、刊行物１のかごで示されているように周知のものである。
　そして、この発明の効果は相違点がそれぞれ持っている効果を単に寄せ集めたものであり、予測できるものである。
（エ）請求項５に係る発明と刊行物１記載のものを対比すると、刊行物１記載の高さ１５ｃｍくらいにカットした牛乳パックやペットボトルは、横幅が７０ｍｍから１２５ｍｍのものも普通にあり、高さはカットして１７０ｍｍより短いものであるから、
（ｉ）（ｉｉ）の点で相違するものであり、その余の点は共通のものである。
　前記相違点についての判断は前記したとおりである。
（オ）請求項６に係る発明と刊行物１記載のものを対比すると、
（ｉ）（ｉｉ）の点および
（ｉｖ）野菜収納容器が、その底部に下方に張り出す脚部を設けてある点で相違し、その余の点は共通のものである。
　前記相違点を検討すると、（ｉ）（ｉｉ）の点は前記したとおりである。
（ｉｖ）刊行物５には、野菜収納容器に相当するトレーの下面に冷気通路をつくるための脚状突起を設けた点が記載されており、野菜収納容器の通風を目的として、脚部を設けることは容易である。
　そして、この発明の効果は相違点がそれぞれ持っている効果を単に寄せ集めたものであり、予測できるものである。
（オ）請求項７に係る発明または請求項１３に係る発明と刊行物１記載のものとを対比すると、
（ｉ）（ｉｉ）の点および
（ｖ）請求項７に係る発明または請求項１３に係る発明が、野菜収納容器の上部を斜めにした投入口を形成しているのに対し、刊行物１にはこの点が記載されていない点で相違するものであり、その余の点は共通のものである。
　前記相違点を検討すると、
（ｉ）（ｉｉ）の点は前記したとおりである。
（ｖ）刊行物３には、牛乳パックを斜めにカットした点が記載されており、牛乳パックは野菜収納容器に相当するものであるから、野菜収納容器の上部を斜めにすることは容易である。
　そして、この発明の効果は相違点がそれぞれ持っている効果を単に寄せ集めたものであり、予測できるものである。　　　　　　　　　　　　　　
（カ）請求項８に係る発明または請求項１４に係る発明と刊行物１記載のものと対比すると、
（ｉ）（ｉｉ）の点および
（ｖｉ）請求項８に係る発明または請求項１４に係る発明の野菜収納容器はその上部を凹曲線形状としたのに対し、刊行物１にはこの点が記載されていない点で相違するものである。
　前記相違点を検討すると、
（ｉ）（ｉｉ）の点は前記したとおりである。
（ｖｉ）刊行物４には、箱状の物品収納容器の上面を凹曲線状にした点が図示されており、冷蔵庫に用いる容器の上面をこのように凹曲線状にすることは容易である。
　そして、この発明の効果は相違点がそれぞれ持っている効果を単に寄せ集めたものであり、予測できるものである。
（キ）請求項１２に係る発明と刊行物１記載のものとを対比すると、
請求項１２に係る発明が（ｉ）（ｉｉ）（ｉｉｉ）（ｉｖ）の点で相違するものであり、その余の点で共通である。
　前記相違点について検討すると前記したとおりである。
　そして、この発明の効果は相違点がそれぞれ持っている効果を単に寄せ集めたものであり、予測できるものである。
（ク）したがって、前記請求項１，請求項２、請求項３、請求項５、請求項６、請求項７、請求項８、請求項１１、請求項１２、請求項１３、請求項１４に係る各発明は、前記刊行物に記載された発明に基づいて当業者が容易に発明をすることができたものと認められるから、前記各請求項に係る特許は特許法第２９条第２項の規定に違反してされたものであり、前記各請求項に係る特許は特許法第１１３条第１項第２号の規定に該当し取り消されるべきものである。
（４）特許異議の申立てについて
（イ）申立て理由の概要
　特許異議申立人は、前記刊行物および甲第６号証として実願昭５３−９９７２１号（実開昭５５−１５５９０号）のマイクロフィルム、を提示して、請求項４、請求項９、請求項１０、請求項１５に係る各発明も、前記刊行物及び甲第６号証記載のものから容易に発明ができたものである旨主張している。
　そこで審理すると、請求項４に係る発明に対して、刊行物１、刊行物２または刊行物９には、側面に穴をあけた点は記載されているけれども、側面から底面にかけて形成されたスリットは記載されていず、またこの点が前記記載されたものから容易に発明することができたものとは言えない。
　請求項９に係る発明または請求項１５に係る発明に対して、刊行物７には、前記した点が記載されているけれども、請求項９に係る発明または請求項１５に係る発明である野菜収納容器において高さを変更できる高さ変更可動部は記載されていず、またこの点が記載されたものから容易に発明することができたものとも言えない。
　請求項１０に係る発明に対して、刊行物６には、前記した点が記載されているけれども、仕切板が、野菜収納容器の第１の幅と、第２の幅とに対応する第１の距離と第２の距離とに設定できるものではないし、この点が記載されたのものから容易に発明することができたものとも言えない。
　したがって異議申立人のこの主張は採用できない。
　また、他に前記請求項４，請求項９，請求項１０および請求項１５に係る特許を取り消すべき理由を発見しない。
　（５）よって、結論のとおり決定する。
【異議決定日】
平成１１年４月７日（１９９９．４．７）